(57)【要約】【課題】  巻き乱れを生じさせることを防止できる磁気テープカセットを提供する。【解決手段】  上ハーフ１１と下ハーフ１２とを蓋合わせ状に結合して形成されたカセットケースと、カセットケース内に回転可能に配され、磁気テープ２１を巻回した一対の巻取ハブ２６と、巻取ハブ２６の上側と下側に配置されたシート２５，２４とを備え、巻取ハブ２６に磁気テープ２１を巻回する側壁部２７が形成され、側壁部２７の下方端部が、該側壁部における他の箇所の厚さｔ１より厚さｔ２が薄くなるように形成されている【選択図】  図２
2005243139.tif 000002
【特許請求の範囲】
【請求項１】
上ハーフと下ハーフとを蓋合わせ状に結合して形成されたカセットケースと、
前記カセットケース内に回転可能に配され、磁気テープを巻回した一対の巻取ハブと、
前記巻取ハブの上側と下側に配置されたシートとを備え、
前記巻取ハブに前記磁気テープを巻回する側壁部が形成され、前記側壁部の下方端部が、該側壁部における他の箇所の厚さより厚さが薄くなるように形成されていることを特徴とする磁気テープカセット。
【発明の詳細な説明】
【技術分野】
【０００１】
本発明は、磁気テープカセットに関し、特に、磁気テープを巻回した巻取ハブを改良した磁気テープカセットに関する。
【背景技術】
【０００２】
従来の磁気テープカセットとしては、例えば、特許文献１に記載されたものがある。図３に従来の磁気テープカセットを示す。
図３に示すように、磁気テープカセット１００は、上ハーフ１０１と下ハーフ１０２との間に巻取ハブ１０４に巻回された磁気テープ１０６が収容されている。磁気テープ１０６は、巻取ハブ１０４の径方向外側に延設された側壁部１０５のテープ巻面１０５ａに巻回される。また、磁気テープカセット１００において、巻取ハブ１０４の上下にはシート１１０がそれぞれ配置されている。シート１１０には、巻取ハブ１０４側へ突出するように形成されたシボリ部１１２が設けられている。巻取ハブ１０４に巻回された磁気テープ１０６は、シボリ部１１２によって上下方向の位置規制が行われている。
【０００３】
【特許文献１】特開２０００−３１１４６２号公報
【発明の開示】
【発明が解決しようとする課題】
【０００４】
ところで、近年、磁気テープの記憶容量を増加させるため、磁気テープの幅寸法が現行のものよりも大きくなる傾向があり、磁気テープの幅寸法の拡大に伴い磁気テープを巻回した巻取ハブの重量が大きくなることが予想される。
図３を参照すると、磁気テープ１０６の幅寸法が大きくなる場合には磁気テープ１０６を巻回した巻取ハブ１０４の荷重の増加によって、磁気テープ１０６の走行時において、下側のシート１１０が巻取ハブ１０４の側壁部１０５における下端部から受ける接触抵抗が大きくなる。このため、磁気テープカセット１００は、下側のシート１１０との接触抵抗に起因して巻取ハブ１０４の回転に支障が生じ、磁気テープに巻き乱れが生じるおそれがあった。
【０００５】
本発明は、このような事情に鑑みてなされたもので、巻き乱れを生じさせることを防止できる磁気テープカセットを提供することを目的としている。
【課題を解決するための手段】
【０００６】
本発明の上記目的は、上ハーフと下ハーフとを蓋合わせ状に結合して形成されたカセットケースと、カセットケース内に回転可能に配され、磁気テープを巻回した一対の巻取ハブと、巻取ハブの上側と下側に配置されたシートとを備え、巻取ハブに磁気テープを巻回する側壁部が形成され、側壁部の下方端部が、該側壁部における他の箇所の厚さより厚さが薄くなるように形成されていることを特徴とする磁気テープカセットによって達成される。
【０００７】
上記の磁気テープカセットは、巻取ハブに磁気テープを巻回する側壁部の下方端部が該側壁部における他の部位より厚さが薄くなるように形成されているため、下側のシートと巻取ハブとの接触面積が、側壁部の下方端部を薄くしたことに伴って小さくなる。すると、磁気テープの幅寸法が大きくなった場合において巻取ハブの荷重が増加しても、磁気テープの走行時に、下側のシートが巻取ハブの側壁部における下端部から受ける接触抵抗が大きくなることを抑制することができる。このため、磁気テープカセットは、下側のシートとの接触抵抗に起因して巻取ハブの回転に支障が生じて磁気テープに巻き乱れが生じることを防止することができる。
【発明の効果】
【０００８】
本発明によれば、巻き乱れを生じさせることを防止できる磁気テープカセットを提供できる。
【発明を実施するための最良の形態】
【０００９】
図１は、本発明に係る磁気テープカセットの一実施形態を示す分解斜視図である。図１に示すように、磁気テープカセット１０は、上ハーフ１１と下ハーフ１２とを備え、これら上ハーフ１１と下ハーフ１２とを蓋合わせ状に結合して形成されたカセットケースを有している。
【００１０】
上ハーフ１１と下ハーフ１２とで構成されるカセットケース内には、一対の巻取ハブ２６に巻回され張架された磁気テープ２１が収容される。
【００１１】
上ハーフ１１には、カセット非使用時において、巻取ハブ２６が回転して磁気テープが弛まないように、ブレーキ部材１３が設けられている。ブレーキ部材１３は、２つの制動片１３ａを有し、この制動片１３ａが巻取ハブ２６の上端部周面に設けられた歯車３０と係合することによって巻取ハブ２６の回転を禁止するようになっている。カセット非使用時においては、ブレーキ部材１３は、制動片１３ａが歯車３０に係合するように、ねじりコイルばねを用いたブレーキばね１７によって付勢されている。ブレーキばね１７は、上ハーフ１１の内側面から突設された図示しない突起に係止されている。
【００１２】
上ハーフ１１には、カセット非使用時において、一対の巻取ハブ２６間に張架された磁気テープ２１を保護するため、該上ハーフ１１の前面側に支軸によって回動可能に支持された前蓋１５が設けられている。
【００１３】
下ハーフ１２の底面１２ａには、リール軸を挿入するためのリール軸挿入孔１２ｂが形成されている。リール軸挿入孔１２ｂの周囲には段差が設けられ巻取ハブ２６の下端部の一部を支える巻取ハブ受け部となっている。
【００１４】
下ハーフ１２の前面側には左右一対の張出部１２ｃが形成され、これら張出部１２ｃには磁気テープ２１をガイドするための円柱状のリブ１２ｄがそれぞれ設けられている。一対の張出部１２ｃの間に区画された空間には、磁気テープカセット１０を磁気記録再生装置に装填した際に、ローディング装置が進入する。
【００１５】
また、下ハーフ１２には、２つのリブを連続してハの字状に設けた前壁１２ｅが立設されている。前壁１２ｅによって三角形状に区切られた下ハーフ１２の底面１２ａにおける略中央部に垂直に柱状のリブ１２ｆが立設されている。この柱状のリブ１２ｆと前壁１２ｅとの間にＶ字状の板ばね１６が挿入される。
【００１６】
下ハーフ１２の下面には、該下ハーフ１２と摺動可能に取り付けられたスライダ１４が備えられている。スライダ１４の底面１４ａの前方には上記板ばね１６を支持する壁状のリブ１４ｂが立設されている。スライダ１４は、磁気テープカセット１０が図示しない記録再生装置に装填されたときにはカセットケースの後方に移動され、また、カセット非使用時には、上記板ばね１６の付勢力によってカセットケースの前方に保持される構成である。
【００１７】
また、スライダ１４の底板１４ａには、２つの孔１４ｂが設けられている。２つの孔１４ｂは、スライダ１４がカセットケースの後方に位置するときには、下ハーフ１２のリール軸挿入孔１２ｂと一致するように形成されている。
【００１８】
磁気テープ２１を巻回した一対の巻取ハブ２６は、該巻取ハブ２６の下側と上側にシート２４，２５が配置された状態で、上ハーフ１１と下ハーフ１２との間に収容される。シート２４，２５には、巻取ハブ２６の上下にそれぞれ配置した際に、巻取ハブ２６の端部が挿通される一対の開孔２４ｂ，２５ｂがそれぞれ形成されている。
【００１９】
シート２４，２５には、孔２４ａ，２５ａがそれぞれ形成されている。孔２４ａ，２５ａは、下ハーフ１２の底面１２ａに形成されたリブ１２ｇに挿通されることで、シート２４，２５を下ハーフ１２に対して位置決めする。
【００２０】
また、シート２４，２５には、カセットケースの左右方向に互いに平行に延びる２本のシボリ部２９，２８が形成されている。シボリ部２９，２８は、巻取ハブ２６が回転する際の接触抵抗を低減させて回転を滑らかにするとともに、該巻取ハブ２６に巻回された磁気テープ２１を支えて、高さを規制する。
【００２１】
図２は、磁気テープを巻回した巻取ハブを示す断面図である。図２に示すように、巻取ハブ２６は、円筒形状を有するハブ胴部２６ａと、該ハブ胴部２６ａの径方向外側に環状に一体成形された側壁部２７とが設けられている。側壁部２７の外側には磁気テープ２１を巻き重ねることができるようにテープ巻面２７ａが形成されている。  
【００２２】
本実施形態において、側壁部２７の下方端部には薄肉部２７ｃが設けられている。側壁部２７の薄肉部２７ｃが設けられた箇所の厚さ（図２において側壁部２７の左右方向の寸法。以下省略）ｔ２が、薄肉部２７ｃが設けられていない箇所の厚さｔ１に比べて小さくなる。本実施形態では側壁部２７の内側面に傾斜面からなる薄肉部２７ｃを形成して下方へ向って厚さが薄くなうようにしたが、薄肉部２７ｃの形状は特に限定されない。例えば、側壁部２７の内側面に段差部を形成して厚さを薄くしてもよい。
【００２３】
上記のように本実施形態の磁気テープカセット１０は、巻取ハブ２６に磁気テープ２１を巻回する側壁部２７が設けられ、該側壁部２７の下方端部が該側壁部２７における他の部位の厚さｔ１より厚さｔ２が薄くなるように形成されている。このため、巻取ハブ２６の側壁部２７における下方端面２７ｂと下側のシート２４（図１参照）との接触面積が、側壁部２７の下方端部を薄くしたことに伴って小さくなる。すると、磁気テープ２１の幅寸法が大きくなった場合において巻取ハブ２６の荷重が増加しても、磁気テープ２１の走行時に、下側のシート２４が巻取ハブ２６の側壁部２７における下端部から受ける接触抵抗が大きくなることを抑制することができる。このため、磁気テープカセット１０は、下側のシート２４との接触抵抗に起因して巻取ハブ２６の回転に支障が生じて磁気テープ２１に巻き乱れが生じることを防止することができる。
【図面の簡単な説明】
【００２４】
【図１】本発明に係る磁気テープカセットの一実施形態を示す分解斜視図である。
【図２】磁気テープを巻回した巻取ハブを示す断面図である。
【図３】従来の磁気テープカセットを説明する断面図である。
【符号の説明】
【００２５】
１０    磁気テープカセット
１１    上ハーフ
１２    下ハーフ
２１    磁気テープ
２４    下側のシート
２５    上側のシート
２６    巻取ハブ
２７    側壁部
【図１】
2005243139.tif 000003
【図２】
2005243139.tif 000004
【図３】
2005243139.tif 000005